(57)【要約】【課題】各オペレータが適切に意思決定できるように支援する。【解決手段】対策支援サーバ１は、異常状態および異常状態に対する対策を含む表示対象を識別する識別子、表示対象の種別、異常状態が発生した位置または対策が施された位置である表示対象の位置、表示対象に対応するステータスおよび時間情報を対応づけた表示対象情報を含む表示対象データを記憶する記憶装置１０と、表示対象の種別に対応する指示子を、表示対象の位置に対応する座標に表示する表示手段２１を備える。表示手段２１が表示する指示子には、ステータスに対応する装飾が付加される。【選択図】      図１
2018010337.tif 000002
【特許請求の範囲】
【請求項１】
時間経過に応じてステータスが変化する異常状態の情報と、前記異常状態に対する対策の情報を表示する対策支援サーバにおいて、
前記異常状態および前記異常状態に対する対策を含む表示対象を識別する識別子、前記表示対象の種別、前記異常状態が発生した位置または前記対策が施された位置である前記表示対象の位置、前記表示対象に対応するステータスおよび時間情報を対応づけた表示対象情報を含む表示対象データを記憶する記憶装置と、
前記表示対象の種別に対応する指示子を、前記表示対象の位置に対応する座標に表示する表示手段
を備え、
前記表示手段が表示する指示子には、前記ステータスに対応する装飾が付加されることを特徴とする対策支援サーバ。
【請求項２】
前記記憶装置は、さらに、
前記ステータスの区分、および前記ステータスの各区分における装飾を対応づけた装飾定義データを記憶し、
前記表示手段が表示する指示子には、前記装飾定義データに基づいて、前記表示対象データのステータスが属する区分に対応する装飾が付加される
ことを特徴とする請求項１に記載の対策支援サーバ。
【請求項３】
前記表示対象データの表示対象情報は、前記表示対象に対応するステータスとして、実測された実測値が対応づけられた実測情報を含む
ことを特徴とする請求項１または２に記載の対策支援サーバ。
【請求項４】
前記表示対象データの表示対象情報は、さらに、前記表示対象に対応するステータスとして、前記実測情報から予測された予測値を対応づけた予測情報を含み、
前記表示対象データに、新たな実測情報が登録されると、前記表示対象データから、前記新たな実測情報と前記表示対象の識別子が同一の実測情報を抽出し、抽出した前記実測情報と前記新たな実測情報の前記実測値に基づく予測値が、前記ステータスの各区分の閾値を超える時間情報を算出し、
前記予測情報の前記予測されたステータスおよび時間情報として、前記算出された時間情報における前記予測値および前記算出された時間情報が対応づけられた前記予測情報を、生成し、生成した予測情報を前記表示対象データに挿入する
ことを特徴とする請求項３に記載の対策支援サーバ。
【請求項５】
前記記憶装置はさらに、
前記表示対象の種別と、前記表示対象の種別におけるステータスを区分する閾値とを対応づけたステータス定義データを記憶する
ことを特徴とする請求項２に記載の対策支援サーバ。
【請求項６】
時間経過に応じてステータスが変化する異常状態の情報と、前記異常状態に対する対策の情報を表示する対策支援サーバに用いられる対策支援方法であって、
前記対策支援サーバが、前記異常状態および前記異常状態に対する対策を含む表示対象を識別する識別子、前記表示対象の種別、前記異常状態が発生した位置または前記対策が施された位置である前記表示対象の位置、前記表示対象に対応するステータスおよび時間情報を対応づけた表示対象情報を含む表示対象データを記憶するステップと、
前記対策支援サーバが、前記表示対象の種別に対応する指示子を、前記表示対象の位置に対応する座標に表示するステップ
を備え、
前記表示手段が表示する指示子には、前記入力されたステータスに対応する装飾が付加されることを特徴とする対策支援方法。
【請求項７】
コンピュータを、請求項１ないし５のいずれか１項に記載の対策支援サーバとして機能させるための対策支援プログラム。
【発明の詳細な説明】
【技術分野】
【０００１】
本発明は、時間経過に応じてステータスが変化する異常状態の情報と、異常状態に対する対策の情報を表示する対策支援サーバ、対策支援方法および対策支援プログラムに関する。
【背景技術】
【０００２】
異常状態が発生すると、会議室等に複数の担当者が集まり、異常状態の収束に向けた対策に関する意思決定をする場合がある。この場合、会議室等に、複数の担当者が同時に閲覧できるモニタを配置し、担当者間でモニタに表示される情報を共有しながら、対策が検討される場合がある。
【０００３】
異常状態は逐次状況が変化するので、各担当者が、最新の状況を共有する必要がある。また、所定の担当者による意思決定も、担当者間で共有し、異常状態の収束に向けて、更なる意思決定が検討される必要がある。しかしながら、一般的なコンピュータや表示装置で異常状態の状態や対策を共有する場合、共有しづらい問題がある。たとえば、最新の異常状態の状況や担当者による意思決定は、コンピュータに入力された後、表示装置に表示されるので、入力と表示との間にタイムラグがあり、また紙地図のように直感的に記入しづらい場合がある。
【０００４】
一方、紙地図に状況や対策を記入することで、直感的に記入でき、入力と表示との間のタイムラグが解消されるので、一般的な表示装置を使う場合の問題点を解決することができる。しかしながら、紙地図上に状況や意思決定が記入された場合、記入された情報の書き換えが難しく、異常状態の状況変化や対策の変化に追従しづらい場合がある。
【０００５】
そこで、タンジブルユーザインタフェース技術を応用した対策支援システムがある（例えば非特許文献１参照）。非特許文献１に記載のシステムでは、デジタルペンとデジタルシートなどを利用することで、従来の紙地図と同様の感覚で、直感的にかつタイムラグなく、デジタルシート上に状況や対策を記入することができ、さらに、状況や対策の変化に追従して、書き換えながら表示することを可能とする。
【０００６】
非特許文献１に記載の対策支援システムにおいては、異常状態が発生したり、異常状態に対する対策が施されたりすると、異常状態や対策に関連する指示子（アイコン、矢印、領域等）を、デジタルシート上に表示された地図上の、異常状態が発生した位置や対策が施された位置に表示する。また各異常状態や対策のステータス等の詳細情報は、指示子を選択し、詳細情報の表示を指示する操作などを経て、表示される。
【先行技術文献】
【非特許文献】
【０００７】
【非特許文献１】エヌ・ティ・ティ・コムウェア株式会社、「タンジブル災害対策支援システム」、［online］、［平成２８年５月１８日検索］、インターネット〈URL：http://www.nttcom.co.jp/bousai/〉
【発明の概要】
【発明が解決しようとする課題】
【０００８】
しかしながら、非特許文献１に記載の対策支援システムにおいて、特定の時刻における異常状態の情報や対策に関する意思決定の有無を表示することができるものの、その異常状態のステータスが直感的にわかりにくい場合がある。
【０００９】
例えば、異常状態の状況が重度であれば、早急に対策を意思決定し、状況が軽度であれば、優先度を下げて対応することが好ましい。しかしながら、従来の対策支援システムにおいては、異常状態や対策の有無がわかるものの、これらのステータスを把握するために、状況に付与された属性を参照する必要がある。また従来の対策支援システムにおいて、異常状態や対策の状態を確認するためにいくつかの操作を経る必要があり、意思決定における担当者の負担が、高い可能性がある。また、一つの意思決定をする際に参照するべき状況は一つとは限らず、意思決定における担当者の負担を見過ごせない場合がある。
【００１０】
その結果、対策の意思決定が遅れ、適切なタイミングで対策されない可能性を排除できない場合が考えられる。また対策を急ぐあまり、各担当者が記憶に頼って意思決定をする場合も想定され、意思決定の優先順位の判断を誤ったり、客観性や妥当性が損なわれたりする可能性も排除できない場合が考えられる。
【００１１】
このように従来の対策支援システムに対して、各担当者が適切にかつ円滑に対策できるよう、さらに適切に支援することが期待されている。
【００１２】
従って本発明の目的は、異常状態の情報と、異常状態に対するオペレータの意思決定を表示する対策支援システムにおいて、各オペレータが適切に意思決定できるように支援する対策支援サーバ、対策支援方法および対策支援プログラムを提供することである。
【課題を解決するための手段】
【００１３】
上記課題を解決するために、本発明の第１の特徴は、時間経過に応じてステータスが変化する異常状態の情報と、異常状態に対する対策の情報を表示する対策支援サーバに関する。第１の特徴に係る対策支援サーバは、異常状態および異常状態に対する対策を含む表示対象を識別する識別子、表示対象の種別、異常状態が発生した位置または対策が施された位置である表示対象の位置、表示対象に対応するステータスおよび時間情報を対応づけた表示対象情報を含む表示対象データを記憶する記憶装置と、表示対象の種別に対応する指示子を、表示対象の位置に対応する座標に表示する表示手段を備え、表示手段が表示する指示子には、ステータスに対応する装飾が付加される。
【００１４】
記憶装置は、さらに、ステータスの区分、およびステータスの各区分における装飾を対応づけた装飾定義データを記憶し、表示手段が表示する指示子には、装飾定義データに基づいて、表示対象データのステータスが属する区分に対応する装飾が付加される。
【００１５】
表示対象データの表示対象情報は、表示対象に対応するステータスとして、実測された実測値が対応づけられた実測情報を含んでも良い。
【００１６】
表示対象データの表示対象情報は、さらに、表示対象に対応するステータスとして、実測情報から予測された予測値を対応づけた予測情報を含み、表示対象データに、新たな実測情報が登録されると、表示対象データから、新たな実測情報と表示対象の識別子が同一の実測情報を抽出し、抽出した実測情報と新たな実測情報の実測値に基づく予測値が、ステータスの各区分の閾値を超える時間情報を算出し、予測情報の予測されたステータスおよび時間情報として、算出された時間情報における予測値および算出された時間情報が対応づけられた予測情報を、生成し、生成した予測情報を表示対象データに挿入する。
【００１７】
記憶装置はさらに、表示対象の種別と、表示対象の種別におけるステータスを区分する閾値とを対応づけたステータス定義データを記憶しても良い。
【００１８】
本発明の第２の特徴は、時間経過に応じてステータスが変化する異常状態の情報と、異常状態に対する対策の情報を表示する対策支援サーバに用いられる対策支援方法に関する。第２の特徴に係る対策支援方法は、対策支援サーバが、異常状態および異常状態に対する対策を含む表示対象を識別する識別子、表示対象の種別、異常状態が発生した位置または対策が施された位置である表示対象の位置、表示対象に対応するステータスおよび時間情報を対応づけた表示対象情報を含む表示対象データを記憶するステップと、対策支援サーバが、表示対象の種別に対応する指示子を、表示対象の位置に対応する座標に表示するステップを備え、表示手段が表示する指示子には、入力されたステータスに対応する装飾が付加される。
【００１９】
本発明の第３の特徴は、コンピュータを、本発明の第１の特徴に記載の対策支援サーバとして機能させるための対策支援プログラムに関する。
【発明の効果】
【００２０】
本発明によれば、異常状態の情報と、異常状態に対するオペレータの意思決定を表示する対策支援システムにおいて、各オペレータが適切に意思決定できるように支援する対策支援サーバ、対策支援方法および対策支援プログラムを提供することができる。
【図面の簡単な説明】
【００２１】
【図１】対策支援システムのシステム構成を説明する図である。
【図２】対策支援システムがデジタルシートに表示される地図の一例である。
【図３】対策支援サーバのハードウエア構成と機能ブロックを説明する図である。
【図４】対策支援サーバの表示対象データのデータ構造とデータの一例を説明する図である。
【図５】対策支援サーバの指示子定義データのデータ構造とデータの一例を説明する図である。
【図６】対策支援サーバの装飾定義データのデータ構造とデータの一例を説明する図である。
【図７】対策支援サーバのステータス定義データのデータ構造とデータの一例を説明する図である。
【図８】対策支援サーバの表示手段による表示処理を説明するフローチャートである。
【図９】対策支援サーバの予測処理の一例を説明する図である（その１）。
【図１０】対策支援サーバの予測処理の一例を説明する図である（その２）。
【図１１】対策支援サーバの予測処理の一例を説明する図である（その３）。
【図１２】対策支援サーバの予測処理の一例を説明する図である（その４）。
【図１３】対策支援サーバの予測処理の一例を説明する図である（その５）。
【発明を実施するための形態】
【００２２】
次に、図面を参照して、本発明の実施の形態を説明する。以下の図面の記載において、同一または類似の部分には同一または類似の符号を付している。
【００２３】
（対策支援システム）
本発明の実施の形態に係る対策支援システム９は、時間経過に応じてステータスが変化する異常状態の情報と、異常状態に対する対策の情報を表示して、担当者による対策の意思決定に必要な情報を提供し、異常状態の収束を支援する。本発明の実施の形態において「異常状態」は、時間経過に応じてステータスが変化し、変化するステータスの情報を収集して、担当者が対策を講じる意思決定をすることで、異常状態を収束に導くことが可能な事象を想定する。
【００２４】
本発明の実施の形態において、「異常状態」は、例えば、（ｉ）地震、洪水、津波等により生じる建物倒壊、浸水、土砂流出、道路破損等の自然災害、（ｉｉ）これらの自然災害により派生する帰宅困難者の滞留や道路の通行止め等、（ｉｉｉ）火災、事故等、（ｉｖ）テロ、人質事件、誘拐事件等の犯罪事件等を想定する。自然災害や災害などに関する異常状態における担当者は、例えば、市町村等の職員であって、犯罪事件における担当者は、例えば、警察官である。
【００２５】
本発明の実施の形態において「異常状態」は、地震災害を想定して説明するが、これに限るものではなく、上記のような様々な異常状態に適宜転用してもよい。
【００２６】
対策支援システム９は、対策支援サーバ１、表示装置２、デジタルペン３、デジタルシート４およびパレットシート５を備える。
【００２７】
対策支援サーバ１は、時間経過に応じてステータスが変化する異常状態の情報と、異常状態に対する対策の情報を保持し、表示装置２の表示対象のデータを、表示装置２に入力する。
【００２８】
表示装置２は、いわゆるプロジェクタであって、対策支援サーバ１から入力されたデータに基づいて、デジタルシート４に投影する。ここで、表示装置２は、テキストやグラフを投影しても良いし、静止画または動画を投影しても良い。本発明の実施の形態において表示装置２は、デジタルシート４に、地図を表示するとともに、担当者により収集された異常状態の情報や、担当者が意思決定した対策の情報を示す指示子、異常状態や対策の詳細情報などを表示する。本発明の実施の形態において、デジタルシート４に表示される、異常情報や対策を示す指示子に関する情報を、表示対象情報と称する。
【００２９】
デジタルペン３、デジタルシート４およびパレットシート５は、いわゆるタンジブルユーザインタフェースを実現する。図１に示す例では、デジタルペン３およびパレットシート５はそれぞれ一つ記載しているが、各担当者が利用できるように、複数のデジタルペン３およびパレットシート５が用意されても良い。
【００３０】
デジタルシート４には、例えば、対策支援サーバ１から入力されたデータに基づいて、表示装置２が投影した情報が表示される。デジタルシート４は、複数の担当者が視認することで、デジタルシート４に表示された異常状態や対策の情報が担当者間で共有される。
【００３１】
パレットシート５は、各担当者に異常状態や対策をデジタルシート４に表示させるために用いられる。パレットシート５には、担当者が入力する指示子やステータス等を入力するためのメニューが記載される。例えば、「帰宅困難者滞留情報」の入力において、パレットシート５には、「帰宅困難者滞留情報」を特定するための文字列や画像、「帰宅困難者滞留情報」の状態を担当者の手動で指定するための色指定画像、帰宅困難者数の入力用テンキーを、デジタルシート４に表示させるためのボタンや、手書き入力窓などが記載される。
【００３２】
ここで、デジタルシート４およびパレットシート５の所定位置に、各位置を特定する情報が、記載されたり埋め込まれたりしている。各位置を特定する情報は、デジタルシート４に投影される画像やパレットシート５に記載される文字や画像の視認を、阻害しない程度の大きさで記載される。位置を特定する情報は、位置を特定する数字、記号などの文字列や、絵でも良いし、位置を特定する文字列を、一次元バーコードまたは二次元バーコード等に変換したものであっても良い。
【００３３】
デジタルペン３の先に、カメラが設けられている。デジタルペン３は、このカメラで、デジタルシート４やパレットシート５に記載された位置を特定する情報を撮影して、読み取ることができる。読み取られた情報は、対策支援サーバ１に送信され、デジタルペン３が示した位置に表示された情報に変換され、処理される。
【００３４】
例えば、デジタルペン３を利用して、パレットシート５の「帰宅困難者滞留情報」を特定する情報が指し示され、その後、デジタルシート４の地図の所定位置が指し示される場合を想定する。デジタルペン３は、デジタルペン３が指し示した位置情報として、「帰宅困難者滞留情報」を特定する情報が表示されたパレットシート５上の位置を特定する情報と、デジタルシート４の地図の所定位置を特定する情報とを取得し、対策支援サーバ１に送信する。
【００３５】
対策支援サーバ１は、デジタルシート４に表示された情報とその位置を対応づけ、パレットシート５に記載された情報とその位置を対応づけるテーブルを保持している。対策支援サーバ１は、デジタルペン３が指し示した位置情報を取得すると、テーブルを参照して、デジタルペン３が指し示した情報を取得して、担当者の指示に変換する。具体的には対策支援サーバ１は、担当者の指示が、デジタルシート４の地図上の指し示された位置に、「帰宅困難者滞留情報」を示す指示子（アイコン）を表示する指示である、と判定する。対策支援サーバ１は、その指示を反映した地図データ、すなわち、デジタルペン３が指示した地図上の位置に、帰宅困難者滞留者情報を示す指示子Ｔ１、Ｔ２、…を表示するデータを生成して、表示装置２に入力する。表示装置２は、図２に示すように、対策支援サーバ１から入力されたデータ、すなわち地図上に「帰宅困難者滞留情報」を示す指示子Ｔ１、Ｔ２、…が表示された地図データを、表示する。
【００３６】
また対策支援システム９は、帰宅困難者滞留者情報を示す指示子Ｔ１、Ｔ２、…と同様に、火災の指示子Ｆ１、通行止めの指示子Ｕ１、避難所の指示子Ｈ１、Ｈ２、Ｈ３、避難経路Ｌ１、Ｌ２・・・・、各指示子のコメントＣＵ１、ＣＬ１、…を表示する。
【００３７】
ここで、指示子は、異常状態や対策の種別が把握可能であればどのようなものでもよく、アイコン、矢印、領域等であっても良い。図２に示す例においては、帰宅困難者滞留情報の指示子Ｔ１、Ｔ２、火災の指示子Ｆ１、通行止めの指示子Ｕ１、避難所の指示子Ｈ１、Ｈ２、Ｈ３は、アイコンである。避難経路Ｌ１、Ｌ２は、矢印である。また図２には示さないが、例えば火災の延焼範囲など、広い範囲に及ぶ異常状態や対策等を、領域で表しても良い。
【００３８】
対策支援サーバ１は、担当者等によって指定された任意の範囲および縮尺で、地図データをデジタルシート４に表示するように制御する。対策支援サーバ１は、デジタルシート４に縮尺を指定するスケールを表示したり、デジタルペン３をタッチしながら動かしたりすることにより、担当者に縮尺や範囲を指定させても良い。またパレットシート５に縮尺や、町名などの表示範囲を記載することにより、担当者に縮尺や範囲を指定させても良い。担当者等が地図の縮尺や範囲を指定すると、その指定された条件に従って、地図をデジタルシート４に表示し、デジタルシート４上の座標と、地図における位置情報とを対応づけるテーブルを保持する。
【００３９】
このように、対策支援システム９は、異常状態が発生した際に、その異常状態に関して収集され入力された情報を、デジタルシート４に表示する。また対策支援システム９は、異常状態に対する対策が意思決定されると、その意思決定された対策の情報を、デジタルペン３、デジタルシート４およびパレットシート５を使って対策支援サーバ１に入力したり、デジタルシート４に表示したりする。またこの操作により、担当者は、対策支援サーバ１が保持する情報を更新したり、削除したりすることも可能である。
【００４０】
また図１に示す対策支援システム９は、１つの対策支援サーバ１と、表示装置２およびデジタルシート４を備える場合を説明したが、これに限られない。例えば、担当者が異なる地域の情報を視認できるように、１つの対策支援サーバ１に対して、複数の表示装置２およびデジタルシート４を備えても良い。また、各担当者がグループ毎にわかれて意思決定する場合、複数の拠点のそれぞれに、対策支援サーバ１、表示装置２およびデジタルシート４を備え、各拠点の対策支援サーバ１が同期して動作するように制御されても良い。
【００４１】
なお、本発明の実施の形態においては、デジタルシート４等を用いるタンジブルユーザインタフェースを用いる場合を説明するが、これに限られない。例えば、一般的なマウスやキーボード、マイク等の入力装置６により入力された情報を、本発明の実施の形態に係る対策支援サーバ１が処理して、一般的な表示装置２に表示しても良い。ここで、入力装置６および表示装置２は、個別の装置であっても良いし、タッチパネルのように一体化された装置であっても良い。また、本発明の実施の形態においては、対策支援サーバ１が処理した結果を表示装置２に表示する場合を説明するが、これに限られない。対策支援サーバ１は、指示子の追加や変更などのイベントに応じてスピーカーを介して音で通知するなど、表示装置２以外の出力装置（図示せず）も用いて、処理した結果を出力しても良い。
【００４２】
（対策支援サーバ）
図３を参照して、本発明の実施の形態に係る対策支援サーバ１を説明する。対策支援サーバ１は、記憶装置１０、処理制御装置２０、および入出力インタフェース３０等を備える一般的なコンピュータである。対策支援サーバ１は、一般的なコンピュータが所定の機能を実現するための対策支援プログラムを実行することにより、図３に示す各手段を実装する。
【００４３】
入出力インタフェース３０は、対策支援サーバ１に指示を入力したり、対策支援サーバ１の処理結果を表示したりするためのインタフェースである。入出力インタフェース３０は、図１を参照して説明した表示装置２およびデジタルペン３のみならず、一般的なコンピュータと同様に、キーボード、マウスなどの入力装置６に接続しても良い。また入出力インタフェース３０は、ＵＳＢメモリ等の記憶媒体７の読み書き装置として機能し、記憶媒体７のデータを読み出したり、記憶媒体７にデータを書き込んだりしても良い。
【００４４】
記憶装置１０は、地図データ１１、表示対象データ１２、指示子定義データ１４、装飾定義データ１５およびステータス定義データ１６を記憶する。
【００４５】
地図データ１１は、異常状態が発生した場所や、対策を施す場所を特定するための地図のデータである。本発明の実施の形態において異常状態は地震災害を想定するので、地図データ１１は、地震によって発生した火災や帰宅困難者の位置、火災を消火するための対策である消防車の移動ルートや、帰宅困難者の移動ルートなどの位置等の地図情報を含む。ここで、地図データ１１は、異常状態の種類によっては、建物内部の見取り図などであっても良い。
【００４６】
表示対象データ１２は、時間経過に応じてステータスが変化する異常状態の情報と、異常状態に対する対策の情報を保持する。表示対象データ１２は、異常状態や対策の情報である表示対象情報として、担当者やセンサによって実際に入力された情報を含む。表示対象データ１２の表示対象情報は、異常状態や対策に関する実測値を含む実測情報と、実測値から予測された予測値を含む予測情報とを含む。
【００４７】
異常状態の情報は、例えば、災害現場に配置された担当者またはセンサによる通知や、災害現場からの通報などにより特定された災害に関する情報のうち、特に、数値化または指標化が可能な情報である。異常状態の情報は、例えば、火災が発生した位置と火災による消失戸数、帰宅困難者の発生している位置と人数、避難所の位置と混雑度などについて、数値化または指標化された値の情報である。対策の情報としては、消防活動を指示した場所とその消火状況などについて、数値化または指標化された値の情報である。
【００４８】
なお本発明の実施の形態において、異常状態の情報と対策の情報は、明確に区別できるものではないとの前提で記載する。例えば、道路が一部損壊されている際にその道路の通行止めを指示した際、道路の通行止めに関する情報は、異常状態の情報でもあり、対策の情報でもある。また他の実施例において、表示対象データ１２の各表示対象情報において、異常状態の情報と対策の情報とが明確に区別されても良い。
【００４９】
表示対象データ１２は、例えば、図４に示すデータ構造およびデータの例を有する。表示対象データ１２は、表示対象ＩＤ（表示対象を識別する識別子）、種別ＩＤ（表示対象の種別）、表示対象の位置、表示対象に対応するステータス、表示開始日時および表示終了日時（時間情報）を対応づけた表示対象情報を含む。
【００５０】
表示対象情報は、表示対象に対応するステータスとして、実測された実測値が対応づけられた実測情報を含む。また、本発明の実施の形態において、表示対象データ１２の表示対象情報は、さらに、予測情報を含む場合を説明する。予測情報は、表示対象に対応するステータスとして、実測情報から予測された予測値を対応づけた情報である。図４に示す表示対象データ１２は、実測情報Ｒ１およびＲ２を含み、予測情報Ｐ１ａ、Ｐ１ｂおよびＰ２ａを含む。
【００５１】
ここで表示対象は、異常状態や異常状態に対する対策のうちのいずれかであり、個々の表示対象に対応する指示子に対応する。種別は、異常状態や異常状態に対する対策の種別であって、表示対象を表示する際に用いられる指示子の種別に対応する。図２に示す例において、表示対象ＩＤは、指示子Ｔ１や指示子Ｔ２等であり、表示対象の種別ＩＤは、指示子Ｔ１や指示子Ｔ２に用いられているアイコン、具体的には、複数の人が集合したアイコンの種別を特定する識別子である。
【００５２】
表示対象の位置は、異常状態が発生した位置や、対策が施された位置である。表示対象の位置は、対策支援システム９が特定可能であればどのように表記されても良い。表示対象の位置は、例えば、緯度経度などの絶対的な位置情報で特定されても良いし、対策支援システム９が支援する地域における相対的な位置情報でも良い。
【００５３】
ステータス、表示開始日時および表示終了日時は、表示開始日時および表示終了日時間における表示対象の状態を示す。表示対象データ１２のステータス欄には、値と傾向が設定される。表示対象情報のうち実測情報の「値」欄には、実測値が設定され、予測情報の「値」欄には、予測値が設定される。「傾向」欄は、表示開始日時において、ステータスの値が上昇、下降または水平のいずれの傾向で推移しているかが対応づけられ、「傾向」は、表示対象が共通する実測情報の実測値に基づいて算出される。換言すると、ステータスの「傾向」欄には、実測情報または予測情報にかかわらず、実測値に基づいて予測される値の傾向が設定される。
【００５４】
実測情報のステータスの「値」に設定される実測値は、例えば、災害現場に配置された担当者またはセンサによる通知などによって取得された、異常状態や対策の状況である。異常状態のステータスは例えば、火事における延焼戸数や、地震等における帰宅困難者数、避難所の混雑度である。また対策の状況は、例えば、担当者が意思決定した対策の進捗状況であっても良い。対策の「値」は、例えば、救急車の配備を対策した際の救急車の状況については、現場で対応中や、病院へ搬送中などの救急車の作業の進捗状態である。また備蓄食料を割り当てる対策をした際、対策の「値」は、例えば、割り当てた食料の数に対する、避難所等に届けられた食料の数の割合である。
【００５５】
予測情報のステータスの「値」に設定される予測値は、同一の表示対象ＩＤの実測値から予測される異常状態や対策の状況の値である。図４に示す予測情報Ｐ１ａおよびＰ１ｂの予測値は、表示対象ＩＤ「ＩＤ−１」が共通する実測情報Ｒ１等の実測値に基づいて予測され、予測情報Ｐ１ａおよびＰ１ｂが生成される。なお、図４に示す例においては、実測情報Ｒ１と、実測情報Ｒ１の表示開始日時よりも前の実測情報（図示せず）に基づいて、予測情報Ｐ１ａおよびＰ１ｂが生成される。
【００５６】
表示対象データ１２は、表示開始日時および表示終了日時の項目を有する。表示開始日時および表示終了日時は、当該指示子を表示する時間を特定する情報であって、現在時刻が表示開始日時および表示終了日時の間の場合に、この表示対象を地図上に表示するように制御される。また過去の状態を把握するために過去の時間が指定された等の場合、指定された過去の時間が表示開始日時および表示終了日時を満たす表示対象情報を、地図上に表示しても良い。表示対象情報（実測情報）の表示開始日時は、例えば、実測値が対策支援サーバ１に入力された時間に基づいて設定される。表示対象ＩＤが共通する新たな表示対象情報（実測情報）が入力されると、この新たな表示対象情報の表示開始日時が、表示対象ＩＤが共通する直近の表示対象情報の表示終了日時に設定される。
【００５７】
また図４に示す表示対象データ１２はさらに、詳細情報および更新日時の各項目を備えても良い。詳細情報は、指示子に紐づけられる属性情報であって、例えば図２に示すように、コメントＣＵ１やＣＬ１などに記載される情報である。詳細情報は、テキスト、静止画、動画など、様々な形式のデータが紐づけられても良い。更新日時は、各表示対象情報が、表示対象データ１２に挿入された時刻である。実測情報の「更新日時」欄には、その実測情報が表示対象データ１２に挿入された日時が設定され、予測情報の「更新日時」欄には、予測情報を生成するトリガーとなった実測情報の更新日時と同じ日時が設定される。
【００５８】
さらに表示対象データ１２は、図４の右端の「実測／予測」欄のように、表示対象データ１２の各表示対象情報について、実測情報であるか予測情報であるかを示すフラグが、設けられても良い。
【００５９】
表示対象データ１２において、共通する表示対象ＩＤを有する実測情報および予測情報には相関がある。図４に示す例において、表示対象ＩＤ「ＩＤ−１」について、２０１６年３月１日９時１０分に、実測値「３２５」が設定された表示対象情報Ｒ１が挿入される。表示対象情報Ｒ１の挿入と同時に、表示対象情報Ｒ１の実測値に基づいて将来のステータスの値が予測され、予測情報Ｐ１ａおよびＰ１ｂが生成され、表示対象データ１２に挿入される。具体的には、表示対象データ１２に、表示対象ＩＤ「ＩＤ−１」の表示対象について、９時１０分から９時２０分に表示する実測値「３２５」が設定された実測情報Ｒ１と、９時２０分から９時３０分に表示する予測値「５０１」が設定された予測情報Ｐ１ａと、９時３０分以降に表示する予測値「７０１」が設定された予測情報Ｐ１ｂが挿入される。
【００６０】
このとき、表示対象データ１２に、表示対象情報Ｒ１が挿入される前に挿入された予測情報が含まれる場合、表示対象情報Ｒ１が挿入される前に挿入された予測情報は、表示対象情報Ｒ１が挿入された後の表示対象として参照されないように制御される。例えば、表示対象情報Ｒ１が挿入される前に挿入された予測情報は、表示対象データ１２から削除されたり、無効化されたりされる。
【００６１】
指示子定義データ１４は、図５に示すように、種別ＩＤとその指示子を対応づけたデータである。種別ＩＤは、表示対象データ１２における異常状態や対策を特定する「種別ＩＤ」に対応する。指示子定義データ１４は、指示子として、アイコン、矢印、領域などが設定される。アイコンの絵または色、矢印の線種、色または矢尻の形状、領域内部の模様等に応じて、種々の表示対象の種別を特定することができるように、指示子定義データ１４は設定される。
【００６２】
装飾定義データ１５は、ステータスの区分、およびステータスの各区分における装飾を対応づけるデータである。本発明の実施の形態においては、後述のステータス定義データ１６に示すように、ステータスの値（実測値および予測値）を５つの区分に分け、傾向を３つの区分に分けて、区分毎に、装飾が異なるように制御される。
【００６３】
装飾定義データ１５は、図６に示すように、装飾種別、装飾および色を対応づけたデータである。本発明の実施の形態において、ステータスの値（実測値および予測値）は、指示子を囲う外枠の装飾で表現され、傾向は、矢印の装飾で表現される。
【００６４】
ここで、実測情報のステータスの「値」の装飾を施す際、指示子に施される外枠は、実測情報の値（実測値）の区分に対応する色で描画される。また予測情報のステータスの「値」に基づく指示子に外枠を施す場合、最新の実測値の区分に対応する色で描画される。具体的に、予測情報の「値」（予測値）に基づく指示子の外枠は、表示対象データ１２の、予測情報と共通する表示対象ＩＤを有する実測情報のうち、最新の更新日時が設定された実測情報の値（実測値）の区分に対応する色で、描画される。
【００６５】
またステータスとして、「傾向」の装飾を施す際、「上昇」は上向き矢印を、「水平」は、右向き矢印を、「下降」は、下向き矢印を付加する。この傾向の矢印の種別は、表示対象ＩＤを共通する実績情報の実績値の推移に基づいて決定される。「傾向」の装飾は、実測情報に基づく指示子に付加する場合、実測値により特定されるステータス区分に対応する色で描画し、予測情報に基づく指示子に付加する場合、予測値により特定されるステータス区分に対応する色で描画しても良い。
【００６６】
このような装飾定義データ１５によれば、指示子に施された装飾から、ステータスの値や傾向を視覚的に把握することができる。また、外枠と矢印とが同じ色で表現された指示子は、実測情報に基づくステータスを表現する。一方、外枠と矢印とが異なる色で表現された指示子は、実測した時とは異なるステータスのレンジに推移したと予測された予測情報に基づくステータスを、表現することがわかる。
【００６７】
ステータス定義データ１６は、表示対象の種別と、表示対象の種別におけるステータスを区分する閾値とを対応づけたデータである。図７に示す例では、ステータス定義データ１６は、ステータスを５つの区分に分類し、分類基準となる数値単位や、それぞれの区分の閾値を定義する。
【００６８】
なおステータス定義データ１６における区分の閾値は、対策支援システム９を適用する自治体の規模や性質等によって、適宜設定される。
【００６９】
また、ステータス定義データ１６において、各ステータスに対応する色も対応づけられてもよい。この色は、図６に示す装飾定義データ１５の各装飾の色として参照される。例えば、図５ないし図７のデータに基づいて、所定の位置の帰宅困難者の滞留状況について、帰宅困難者が２５０人で増加傾向の場合、帰宅困難者のアイコン（指示子）に、緑色の外枠と、緑色の上矢印の装飾が施されたアイコンが、その所定の位置に表示される。
【００７０】
ここで、例えば、ステータス１は青、ステータス２は緑、ステータス３は橙、ステータス４は赤、ステータス５は紫など、ステータスが悪化するほど緊迫感の強い色に対応づけることにより、担当者は直感的にステータスを把握することができる。ほかの例としては、ステータス「１」などステータスが良好な場合ほど、密度の低いハッチングが施され、ステータス「５」などステータスが不良な場合ほど、密度の高いハッチングが施されても良い。なお、本発明の実施の形態においては、各ステータスをハッチングの濃さで表現する場合を説明する。
【００７１】
なお本発明の実施の形態において、図４ないし図７を参照して説明した表示対象データ１２、指示子定義データ１４、装飾定義データ１５およびステータス定義データ１６のデータ構造やデータは一例であって、これに限るものではない。本発明の実施の形態では、表示対象データ１２が、実測値に基づく実測情報と、予測値に基づく予測情報を含む場合を説明したが、実測情報と予測情報を、実測情報データと予測情報データなど、のそれぞれ異なるデータで保持されても良い。
【００７２】
処理制御装置２０は、表示手段２１、指示子処理手段２２、予測手段２３およびグラフ表示手段２４を備える。
【００７３】
表示手段２１は、地図データ１１に基づいて、地図をデジタルシート４に表示させるとともに、表示対象データ１２に基づいて、指示子を重畳して表示させる。表示手段２１は、地図や指示子のデータを表示装置２に入力し、表示装置２が、地図や指示子をデジタルシート４に投影することによって、担当者は地図や指示子を視認することができる。
【００７４】
表示手段２１は、表示対象データ１２を参照して、表示対象の種別ＩＤ（種別）に対応する指示子を、表示対象の位置に対応する座標に表示する。表示手段２１は、表示対象データ１２の各表示対象情報について、指示子定義データ１４から、表示対象情報の種別ＩＤに対応する指示子を取得して、表示対象情報の位置をデジタルシート４上の位置に変換して、変換された位置に指示子を表示する。
【００７５】
表示手段２１が表示する指示子には、表示対象データ１２の表示対象情報について、ステータス（入力されたステータス）に対応する装飾が付加される。付加される装飾は、指示子定義データ１４、装飾定義データ１５およびステータス定義データ１６に基づいて、ステータスの値および傾向から、特定される。表示手段２１は、表示対象データ１２の種別ＩＤに対応し、ステータスに対応する装飾が付加された指示子を、表示対象の位置に対応する座標に表示する。
【００７６】
具体的には、表示手段２１は、表示対象データ１２の種別ＩＤに基づいて、指示子を特定する。さらに表示手段２１は、表示対象データ１２のステータスの「値」（実測値、または、予測情報の場合は直前の実測情報の実測値）に基づいて、ステータス定義データ１６のステータス区分を特定する。表示手段２１は、特定されたステータス区分に基づいて、装飾定義データ１５から装飾形状を特定し、特定した装飾形状にステータス区分に対応する色を施した装飾を、指示子に追加する。さらに表示手段２１は、表示対象データ１２の表示対象情報のステータスの「傾向」に基づいて、装飾定義データ１５から矢印の装飾形状を特定し、特定した装飾形状に、ステータスの「値」（実測値または予測値）の属するステータス区分に対応する色を施した装飾を、指示子に追加する。例えば実測値に基づくステータス区分が「２」で、傾向が「上昇」の場合、表示手段２１は、指示子に、緑色の外枠と、緑色の上方向の矢印を追加して、表示する。
【００７７】
ここで表示手段２１は、指示子を表示するタイミングで、ステータスに基づく装飾を動的に特定して表示する場合を説明したが、これに限られない。表示対象データ１２に、表示対象情報や予測情報が挿入されたタイミングに、予め、各情報に対応する装飾が付加された指示子を作成しても良い。この場合表示手段２１は、指示子に装飾を動的に付加することなく、予め作成された装飾付き指示子を、表示する。或いは、あらゆる装飾パターンが付加された指示子を予め作成し、表示手段２１は、表示時に、ステータスに基づく装飾が付加された指示子を特定して表示しても良い。
【００７８】
ここで表示手段２１は、任意の時間が指定されると、その指定された時間に対する状況を表示することができる。表示手段２１は、表示対象データ１２から、指定された時間に対応する表示対象情報に基づいて表示する。
【００７９】
表示手段２１は、表示対象データ１２の表示対象情報（実測情報および予測情報）から、指定された時間が、表示対象データ１２の表示開始時間および表示終了時間内となる情報を抽出する。表示手段２１は、抽出した情報に基づいて、指示子を表示する。抽出した情報が複数セットある場合、表示手段２１は、各表示対象情報のステータスに従って、指示子を表示する。本発明の実施の形態において、ステータスの値に基づいて、指示子の外枠に装飾を施し、ステータスの傾向に基づいて、指示子の右側に矢印の装飾を施す場合を説明する。
【００８０】
なお、所定の表示対象ＩＤについて、所定時間、実測値が更新されていない場合、表示手段２１は、指示子に、実測値の更新を促すための装飾を付加して表示しても良い。例えば、指示子の外枠や矢印を点滅させたり、ステータスに対応しない色（灰色など）で、外枠や矢印を表示したり、更新が必要な旨を指示子に対応づけて表示しても良い。
【００８１】
ここで、所定時間、実測値が更新されているか否かは、適宜所定の方法で、担当者に通知される。例えば、所定の表示対象ＩＤに関する実績情報のうち、最終の表示開始日時から所定時間経過した場合、表示手段２１は、当該表示対象ＩＤについて、所定時間実績値が更新されていないと判定して、実測値の更新を促すための装飾を付加しても良い。
【００８２】
また、本発明の実施の形態においては、外枠と矢印とが同じ色で表現されている場合、実測情報に基づくステータスが、外枠と矢印とが異なる色で表現されている場合、予測情報に基づくステータスが、それぞれ表現される。従って、外枠と矢印とが異なる色で表示されている場合、実測情報ではなく、実測した時とは異なるステータスのレンジに推移したと予測された予測情報に基づいて表示されていることを示す。従って、外枠と矢印とが異なる色で表示することが、実測値の更新を促すための装飾ともなりうる。
【００８３】
このような実施例においては、所定の表示対象について実測情報が一つしかない場合や、複数の実測情報があったとしてもこれらの実測値に変化がない場合、実測情報の実測値に対応する色の水平矢印が施され、実測値の更新を促すことができない。従って、実測情報または予測情報の最終の表示開始日時から所定時間経過した場合に、ステータスに対応しない色（灰色など）で、外枠や矢印を表示するなど、実測値の更新を促すための装飾を付加して表示しても良い。ステータスに対応しない色等の装飾を付加するタイミング（所定時間）は、表示対象の値の変化のしやすさ等を考慮して、各表示対象によって異なっても良い。
【００８４】
本発明の実施の形態においては、実測値の更新を促すための装飾を指定した予測情報を生成する場合を説明するが、これに限られない。例えば、表示対象データ１２で指定する装飾に限らず、表示手段２１が、所定時間、実測値が更新されていない表示対象ＩＤの指示子について、更新を促すための装飾を付加して表示しても良い。
【００８５】
このように表示手段２１は、異常状態や対策に関する表示対象情報に関する指示子に、ステータス毎の装飾を付加して表示することにより、担当者は、視覚的に異常状態や対策の状態を把握することができる。これにより担当者は、デジタルシートに表示された指示子を俯瞰的に観察することで、対象地域の状況を把握することができる。
【００８６】
また、表示手段２１は、表示対象情報の過去のステータスのみならず、過去のステータスから予測されたステータスも、視覚的に表示することができる。従って表示手段２１が、過去の時間から現在へと時間をずらしながら表示することにより、各指示子の増加または減少のみならず、各指示子のステータスの変化も容易に把握することができる。また表示手段２１が、現在から将来の時間へと時間をずらしながら表示することにより、各指示子のステータスの変化を把握し、また、ステータスが、急激に変化するか、或いは緩やかに変化するかも把握することもできる。
【００８７】
図８を参照して、表示手段２１による処理を説明する。図８は、現在の状態を表示する処理を説明する。
【００８８】
まずステップＳ１において表示手段２１は、地図データ１１を取得する。ここで、表示する地図の領域や縮尺が指定されている場合、表示手段２１は、指定された領域および縮尺で表示するための地図の情報を取得する。次に、表示対象データ１２の各表示対象情報（実測情報および予測情報）について、ステップＳ２ないしステップＳ７の処理を繰り返す。
【００８９】
ステップＳ２において表示手段２１は、表示対象データ１２の各表示対象情報の表示開始情報および表示終了情報と現在時刻とを比較して、現在時刻が表示時間内であるか否かを判定する。表示時間内でない場合、次の情報について、ステップＳ２の判定を行う。表示時間内である場合、ステップＳ３に進む。
【００９０】
ステップＳ３において表示手段２１は、表示対象情報の種別ＩＤから、識別子を特定し、ステップＳ４においてステータスの値からステータス区分を特定する。ステップＳ５において表示手段２１は、ステップＳ４で特定したステータス区分から、指示子に追加する装飾を決定する。装飾は、ステータス区分に対応する色で描画される。このとき表示手段２１は、ステータスの傾向も考慮して装飾を決定してもよい。
【００９１】
ステップＳ６において表示手段２１は、ステップＳ３で特定された指示子に、ステップＳ７で特定された装飾を付加する。ステップＳ７において、表示対処情報の位置に基づいて、ステップＳ７で装飾が付加された指示子を生成する。
【００９２】
表示対象データ１２の各表示対象情報についてステップＳ２からステップＳ７の処理が終了すると、ステップＳ８に進む。ステップＳ８において表示手段２１は、ステップＳ１で取得した地図に、ステップＳ７で生成された指示子を重畳したデータを生成し、表示装置２に入力する。表示装置２はこのデータに基づいて、デジタルシート４に投射することにより、担当者は、現在における異常状態のステータスなどの情報と、異常状態に対する対策のステータスなどの情報を把握することができる。
【００９３】
表示手段２１による表示処理は、定期的に実行されても良いし、デジタルペン３による入力など、表示対象に変化が生じた場合や所定のイベントが発生した場合に実行されても良い。
【００９４】
また、表示対象データ１２に、実測情報や予測情報が挿入されたタイミングなどに、予め、各情報に対応する装飾が付加された指示子が作成されている場合、表示手段２１は、予め作成された装飾付き指示子を、表示する。具体的には、図７に示すステップＳ４ないしステップＳ８の処理の代わりに、予め作成された装飾付き指示子のうち、各情報に対応する指示子を抽出する処理が実行される。
【００９５】
なお、図８に示す処理は、現在時刻に基づいて、現在の異常状態や対策の情報を表示する場合を説明したが、過去や未来についても同様に処理される。
【００９６】
指示子処理手段２２は、担当者の操作によって、新たな指示子を登録したり、更新したりする指示が入力されると、表示対象データ１２を更新する。
【００９７】
例えば、担当者がデジタルペン３で、パレットシート５上の指示子と、デジタルシート４上の所定位置を指し示した場合、新たな指示子の登録と更新と判断し、指示子処理手段２２は、新たな表示対象ＩＤを採番し、新たな表示対象情報を表示対象データ１２に設定する。このとき表示対象情報の種別ＩＤに、パレットシート５で指し示された指示子の種別ＩＤが設定される。また表示開始日時および更新日時に、現在時刻が設定される。ここで担当者が、実測値や詳細情報を入力すると、入力された実測値および詳細情報が、表示対象情報に設定される。
【００９８】
また、担当者がデジタルペン３で、デジタルシート４上の指示子を指し示した場合、その指示子の実測値や詳細情報などの更新と判断し、実測値や詳細情報を表示するための画面を、デジタルシート４上に表示したり、パレットシート５から実測値や詳細情報が入力されたりするのを待機する。実測値や詳細情報が入力されると、指示子処理手段２２は、入力された実測値や詳細情報に基づいて、表示対象データ１２を更新する。
【００９９】
なお、上述する新たな表示対象情報の登録の操作や、表示対象情報の更新の操作は、一例であり、これに限られるものではない。また表示対象情報の登録または更新を指定するためのメニューをパレットシート５またはデジタルシート４に設け、登録および更新のいずれかがデジタルペン３で選択された際に、登録された処理をするように制御されても良い。あるいは、ＣＳＶファイル等に、新たに登録する表示対象情報や更新する表示対象情報を設定し、ＣＳＶファイルを対策支援サーバ１に読み取らせることにより、識別子の登録等をしても良い。このように、指示子の登録や、ステータスを更新する操作は、対策支援サーバ１が把握できれば、どのようなものでも良い。
【０１００】
本発明の実施の形態において、担当者が実測値を入力すると、指示子処理手段２２は、ステータスの傾向を算出する。具体的には、指示子処理手段２２は、入力された実測値の表示対象ＩＤを特定し、表示対象データ１２から特定した表示対象ＩＤの過去の表示対象情報（実測情報）を取得する。指示子処理手段２２は、過去の実測値と、新たに入力された実測値から、上昇、水平または下降の傾向を特定し、入力された実測値に、特定された傾向を対応づけた、新たな実測情報を生成して、生成した新たな実測情報を表示対象データ１２に挿入して、表示対象データ１２を更新する。
【０１０１】
ここで、傾向は、どのように算出されても良い。例えば、直近の過去の実測値と新たに入力された実測値を比較して、差分が所定値以内なら水平、新たに入力された実測値の方が大きい場合は上昇、小さい場合は下降と認定されても良い。或いは、２以上の過去の実測値と新たに入力された実測値で、最小二乗法により予測直線を算出したり、多項式近似により予測曲線を算出したりして、予測直線や予測曲線の傾きによって、傾向を算出しても良い。
【０１０２】
予測手段２３は、指示子処理手段２２において担当者がステータスの実測値を入力する等のタイミングで、入力されたステータスに基づいて、将来のステータスを予測する。予測手段２３は、表示対象データ１２に、新たな実測情報が登録されると、表示対象データ１２から、新たな実測情報と、表示対象ＩＤ（表示対象の識別子）が同一の実測情報を抽出する。予測手段２３は、抽出した実測情報と、新たな実測情報の実測値に基づいて、将来のステータスの値（予測値）を予測する。さらに予測手段２３は、将来のステータスの予測値が、ステータスの各区分の閾値を超える時間情報を算出する。ステータスの各区分の閾値を超える時間情報が算出されると、予測手段２３は、予測情報の予測されたステータスおよび時間情報の各項目として、算出された時間情報における予測値および算出された時間情報が対応づけられた予測情報を生成し、生成した予測情報を、表示対象データ１２に挿入する。
【０１０３】
本発明の実施の形態において、表示対象データ１２の各予測情報は、実測値に基づいた実測情報が生成された際に生成される。これにより、担当者が、実測情報を登録または更新してすぐに、将来のステータスの予測を確認することができ、新たな対策の必要性や緊急性を確認することができる。また予測情報が生成された際、予測手段２３は、生成された予測情報に対応する装飾が付加された指示子を作成し、記憶装置１０に記憶しても良い。
【０１０４】
ここで、予測手段２３は、最高または最低ステータスの閾値に対応づけられる予測情報において、その表示終了時刻に、無制限の時間を設定される。具体的には、例えば表示対象データ１２の予測情報Ｐ１ｂに示すように、表示終了日時欄に、空白の値が設定される。
【０１０５】
図９ないし図１３を参照して、予測手段２３による予測処理を説明する。ここでは、表示対象ＩＤがＩＤ−１の帰宅困難者滞留状況について説明する。また図９ないし図１３に示す例において、実測値のプロットは実線で結ばれ、予測値のプロットは破線で結ばれる。
【０１０６】
まず図９に示すように、１０時に、表示対象ＩＤ「ＩＤ−１」の第１の表示対象情報Ｄ１が入力されるとする。第１の表示情報Ｄ１の実測値は、第１区分（０〜１００人）に対応するとする。しかしながら、図９に示す例には、１０時以前に表示対象ＩＤ「ＩＤ−１」の表示対象情報がなく、予測ができない。従って、第１の表示対象情報Ｄ１の表示終了時間として、表示開始時間から、この表示対象ＩＤに対応して決定される一定時間経過後の時間を設定する。さらに予測手段２３は、第１の表示対象情報Ｄの表示開始時間の一定時間経過後を表示開始時間とし、入力された表示対象情報（実測情報）の実測値と同じ実測値と、傾向「水平（有効期限切れ）」を、予測するステータスとして設定した予測情報を生成し、表示対象データ１２に挿入する。このとき、この予測情報の表示終了日時には、無制限を示す値が設定される。この予測情報に基づいて、値を示す外枠は、入力された表示対象情報のうち、直近の実測情報の実測値に基づくステータスの色で表示され、傾向を示す矢印は、灰色などのステータスに対応しない色で表示される。
【０１０７】
次に図１０に示すように、１０時２０分に第２の表示対象情報Ｄ２が入力され、１０時４０分に、第３の表示情報Ｄ３が入力されるとする。第２の表示対象情報Ｄ２および第３の表示対象情報Ｄ３の各実測値は、第２区分（１００〜３００人）に対応するとする。第３の表示情報Ｄ３が入力されると予測手段２３は、第２の表示対象情報Ｄ２と、第３の表示対象情報Ｄ３から、実測値の推移を推測する。ここで、第１の表示対象情報Ｄ１も参酌されても良い。
【０１０８】
実測値の推移の推測においては、指示子処理手段２２で説明した「傾向」の算出と同様に、どのように算出されても良い。直近の過去の実測値と新たに入力された実測値を連結して、予測直線を算出しても良い。或いは、２以上の過去の実測値と新たに入力された実測値で、最小二乗法により予測直線を算出したり、多項式近似により予測曲線を算出したりしても良い。
【０１０９】
予測手段２３は、算出した予測直線に基づいて、第３区分（３００〜５００人）の閾値（下限値の３００人）を超える時間、第４区分（５００〜７００人）の閾値（下限値の５００人）を超える時間、および第５区分（７００人〜）の閾値（下限値の７００人）を超える時間を算出する。予測手段２３は、算出された時間とその閾値（ステータスの実測値）とを対応づけて、予測情報を生成する。このとき予測手段２３は、予測直線または予測曲線の傾きに応じて、ステータスの傾向を設定しても良い。
【０１１０】
図１１に示す例は、第１ないし第５の表示対象情報Ｄ１ないしＤ５が入力された場合を示す。第４の表示対象情報Ｄ４の実測値は、第３区分（３００人〜５００人）に対応し、および第５の表示対象情報Ｄ５の各実測値は、第４区分（５００〜７００人）に対応するとする。第５の表示情報Ｄ５が入力されると予測手段２３は、第５区分（７００人〜）の閾値（下限値の７００人）を超える時間を算出し、予測情報を生成する。図１１に示すグラフは、図１０に示すグラフに比べて、より早い時間に第５区分（７００人〜）の閾値（７００人）を超えていることがわかり、急激に滞留人数が増加していることがわかる。
【０１１１】
図１２に示す例は、第１ないし第８の表示対象情報Ｄ１ないしＤ８が入力された場合を示す。第７の表示対象情報Ｄ７および第８の表示対象情報Ｄ８の各実測値は、第４区分（５００〜７００人）に対応する同一の値であるとする、この２情報に基づいて推測された場合、図１２に示すように、１２時４０分以降は、予測直線は水平になる。この場合、予測手段２３は、１２時４０分から所定時間後に、表示終了時刻が無期限となり、傾向が「水平（有効期限切れ）」となる予測情報を生成し、表示対象データ１２に挿入する。この予測情報に基づいて、値を示す外枠は、直前の実測値に基づくステータスの色で表示され、傾向を示す矢印は、灰色などのステータスに対応しない色で表示される。
【０１１２】
図１３に示す例は、第１ないし第９の表示対象情報Ｄ１ないしＤ９が入力された場合を示す。第９の表示対象情報の実測値は、第４区分（５００〜７００人）に対応し、第８の表示対象情報の実測値よりも低いとする。この２情報に基づいて推測された場合、図１３に示すように、１３時２０分以降は、予測直線は右下がりになる。この場合、予測手段２３は、第３区分（３００〜５００人）の閾値（上限値の５００人）を超える、すなわち、５００人以下になる時間を算出する。予測手段２３は、算出された時間とその閾値（ステータスの実測値）とを対応づけて、予測情報を生成する。このとき予測手段２３は、予測直線または予測曲線の傾きに応じて、ステータスの傾向を設定しても良い。
【０１１３】
グラフ表示手段２４は、担当者により特定された所定の表示対象情報について、表示対象データ１２から、ステータスを取得し、図９ないし図１３に示すグラフを、デジタルシート４などに表示しても良い。
【０１１４】
この場合、グラフ表示手段２４は、担当者により特定された表示対象情報の表示対象ＩＤを特定する。グラフ表示手段２４は、表示対象データ１２から、特定された表示対象ＩＤと共通する表示対象ＩＤを有する実測情報および予測情報を取得する。
【０１１５】
グラフ表示手段２４は、取得した表示対象情報および予測情報に基づいて、図９ないし図１３に示すように、グラフにプロットする。この際、表示手段２１で説明したように、表示対象情報または予測情報の種別ＩＤに対応する指示子に、ステータスに対応する装飾を付加したアイコンをプロットしても良い。また、縦軸には、ステータス定義データ１６の「数値単位」を、横軸には、時間情報を設定し、縦軸に、ステータス区分に応じた指示子を表記しても良い。また図９ないし図１３に示すグラフにおいて、滞留人数が１００人までの水平方向の領域を青色の背景に、１００人から３００人までの水平方向の領域を緑色の背景にするなど、図７のステータス定義データ１６で設定した各ステータス区分の色で表示しても良い。グラフ表示手段２４は、実測値のプロットを実線で結び、予測値のプロットを破線で結んでも良い。
【０１１６】
このように本発明の実施の形態に係る対策支援システム９は、指示子に、指示子のステータスの実測値や、実測値の傾向を示す装飾を施すことにより、面倒な操作を経ることなく、担当者は指示子の状況を視覚的に確認することができる。これにより、早急な対策が求められる異常状態や、進捗が芳しくない対策などを、適切に把握して、更なる対策を講じることができる。
【０１１７】
このように本発明の実施の形態に係る対策支援システム９によれば、各オペレータが適切に意思決定できるように支援することができる。
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【０１１８】
例えば、本発明の実施の形態に記載した対策支援サーバ１は、図３に示すように一つのハードウエア上に構成されても良いし、その機能や処理数に応じて複数のハードウエア上に構成されても良い。また、既存の情報処理システム上に実現されても良い。
【０１１９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【０１２０】
１  対策支援サーバ
２  表示装置
３  デジタルペン
４  デジタルシート
５  パレットシート
６  入力装置
７  記憶媒体
９  対策支援システム
１０  記憶装置
１１  地図データ
１２  表示対象データ
１３  予測データ
１４  指示子定義データ
１５  装飾定義データ
１６  ステータス定義データ
２０  処理制御装置
２１  表示手段
２２  指示子処理手段
２３  予測手段
２４  グラフ表示手段
【図１】
2018010337.tif 000003
【図２】
2018010337.tif 000004
【図３】
2018010337.tif 000005
【図４】
2018010337.tif 000006
【図５】
2018010337.tif 000007
【図６】
2018010337.tif 000008
【図７】
2018010337.tif 000009
【図８】
2018010337.tif 000010
【図９】
2018010337.tif 000011
【図１０】
2018010337.tif 000012
【図１１】
2018010337.tif 000013
【図１２】
2018010337.tif 000014
【図１３】
2018010337.tif 000015
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
時間経過に応じてステータスが変化する異常状態の情報と、前記異常状態に対する対策の情報を表示する対策支援サーバにおいて、
前記異常状態および前記異常状態に対する対策を含む表示対象を識別する識別子、前記表示対象の種別、前記異常状態が発生した位置または前記対策が施された位置である前記表示対象の位置、前記表示対象に対応するステータスおよび時間情報を対応づけた表示対象情報を含む表示対象データを記憶する記憶装置と、
前記表示対象の種別に対応する指示子を、前記表示対象の位置に対応する座標に表示する表示手段
を備え、
前記表示手段が表示する指示子には、前記ステータスに対応する装飾が付加され、
前記表示対象データの表示対象情報は、前記表示対象に対応するステータスとして、実測された実測値が対応づけられた実測情報と、前記実測情報から予測された予測値を対応づけた予測情報を含み、
前記表示対象データに、新たな実測情報が登録されると、前記表示対象データから、前記新たな実測情報と前記表示対象の識別子が同一の実測情報を抽出し、抽出した前記実測情報と前記新たな実測情報の前記実測値に基づく予測値が、前記ステータスの各区分の閾値を超える時間情報を算出し、
前記予測情報の前記予測されたステータスおよび時間情報として、前記算出された時間情報における前記予測値および前記算出された時間情報が対応づけられた前記予測情報を、生成し、生成した予測情報を前記表示対象データに挿入することを特徴とする対策支援サーバ。
【請求項２】
前記表示手段は、現在から将来の時間へと時間をずらしながら、各時間に対応する表示対象情報に基づいて、前記指示子を表示することを特徴とする請求項１に記載の対策支援サーバ。
【請求項３】
前記記憶装置は、さらに、
前記ステータスの区分、および前記ステータスの各区分における装飾を対応づけた装飾定義データを記憶し、
前記表示手段が表示する指示子には、前記装飾定義データに基づいて、前記表示対象データのステータスが属する区分に対応する装飾が付加される
ことを特徴とする請求項１または２に記載の対策支援サーバ。
【請求項４】
前記記憶装置はさらに、
前記表示対象の種別と、前記表示対象の種別におけるステータスを区分する閾値とを対応づけたステータス定義データを記憶する
ことを特徴とする請求項３に記載の対策支援サーバ。
【請求項５】
時間経過に応じてステータスが変化する異常状態の情報と、前記異常状態に対する対策の情報を表示する対策支援サーバに用いられる対策支援方法であって、
前記対策支援サーバが、前記異常状態および前記異常状態に対する対策を含む表示対象を識別する識別子、前記表示対象の種別、前記異常状態が発生した位置または前記対策が施された位置である前記表示対象の位置、前記表示対象に対応するステータスおよび時間情報を対応づけた表示対象情報を含む表示対象データを記憶するステップと、
前記対策支援サーバが、前記表示対象の種別に対応する指示子を、前記表示対象の位置に対応する座標に表示するステップ
を備え、
前記表示するステップが表示する指示子には、前記ステータスに対応する装飾が付加され、
前記表示対象データの表示対象情報は、前記表示対象に対応するステータスとして、実測された実測値が対応づけられた実測情報と、前記実測情報から予測された予測値を対応づけた予測情報を含み、
前記表示対象データに、新たな実測情報が登録されると、前記表示対象データから、前記新たな実測情報と前記表示対象の識別子が同一の実測情報を抽出し、抽出した前記実測情報と前記新たな実測情報の前記実測値に基づく予測値が、前記ステータスの各区分の閾値を超える時間情報を算出し、
前記予測情報の前記予測されたステータスおよび時間情報として、前記算出された時間情報における前記予測値および前記算出された時間情報が対応づけられた前記予測情報を、生成し、生成した予測情報を前記表示対象データに挿入することを特徴とする対策支援方法。
【請求項６】
前記表示するステップは、現在から将来の時間へと時間をずらしながら、各時間に対応する表示対象情報に基づいて、前記指示子を表示することを特徴とする請求項５に記載の対策支援方法。
【請求項７】
時間経過に応じてステータスが変化する異常状態の情報と、前記異常状態に対する対策の情報を表示する対策支援サーバにおいて、
前記異常状態および前記異常状態に対する対策を含む表示対象を識別する識別子、前記表示対象の種別、前記異常状態が発生した位置または前記対策が施された位置である前記表示対象の位置、前記表示対象に対応するステータスおよび時間情報を対応づけた表示対象情報を含む表示対象データを記憶する記憶装置と、
前記表示対象の種別に対応する指示子を、前記表示対象の位置に対応する座標に表示する表示手段
を備え、
前記表示手段が表示する指示子には、前記ステータスに対応する装飾が付加され、
前記ステータスに対応する装飾は、ステータスの値に対応する装飾と、前記ステータスの値の傾向に対応する装飾を含むことを特徴とする対策支援サーバ。
【請求項８】
前記記憶装置はさらに、
前記表示対象の種別と、前記表示対象の種別におけるステータスの値を区分する閾値と、前記ステータスの区分を特定する色を対応づけたステータス定義データを記憶し、
前記表示対象データの表示対象情報は、前記表示対象に対応するステータスの値として、実測された実測値が対応づけられた実測情報と、前記実測情報から予測された予測値を対応づけた予測情報を含み、
前記ステータスの値および傾向のうち、一方に対応する装飾は、前記実測情報については、前記表示対象の種別に対応する前記実測値の区分を特定する色を有するとともに、前記予測情報については、前記表示対象の最新の前記実測値の区分を特定する色を有し、もう一方に対応する装飾は、前記実測値または予測値の区分を特定する色を有する
ことを特徴とする請求項７に記載の対策支援サーバ。
【請求項９】
前記記憶装置はさらに、
前記表示対象の種別と、前記表示対象の種別におけるステータスの値を区分する閾値と、前記ステータスの区分を特定する色を対応づけたステータス定義データを記憶し、
前記表示対象データの表示対象情報は、前記表示対象に対応するステータスの値として、実測された実測値が対応づけられた実測情報と、前記実測情報から予測された予測値を対応づけた予測情報を含み、
前記ステータスの値に対応する装飾は、前記実測情報については、前記表示対象の種別に対応する前記実測値の区分を特定する色を有し、前記予測情報については、前記表示対象の最新の前記実測値の区分を特定する色を有し、前記ステータスの傾向に対応する装飾は、前記実測値または予測値の区分を特定する色を有する
ことを特徴とする請求項７に記載の対策支援サーバ。
【請求項１０】
前記ステータスの値に対応する装飾は、前記指示子に対する枠であり、前記ステータスの値の傾向に対応する装飾は、矢印の形状を有する
ことを特徴とする請求項７に記載の対策支援サーバ。
【請求項１１】
前記傾向は、過去の実測値から、最小二乗法により算出された予測直線、多項式近似により算出された予測曲線、または直近の過去の実測値と新たに入力された実測値との差により算出される
ことを特徴とする請求項７に記載の対策支援サーバ。
【請求項１２】
前記予測値は、過去の実測値から、最小二乗法により算出された予測直線、多項式近似により算出された予測曲線、または直近の過去の実績値と新たに入力された実測値を連結した予測直線により算出される
ことを特徴とする請求項８または９に記載の対策支援サーバ。
【請求項１３】
時間経過に応じてステータスが変化する異常状態の情報と、前記異常状態に対する対策の情報を表示する対策支援サーバに用いられる対策支援方法であって、
前記対策支援サーバが、前記異常状態および前記異常状態に対する対策を含む表示対象を識別する識別子、前記表示対象の種別、前記異常状態が発生した位置または前記対策が施された位置である前記表示対象の位置、前記表示対象に対応するステータスおよび時間情報を対応づけた表示対象情報を含む表示対象データを記憶するステップと、
前記対策支援サーバが、前記表示対象の種別に対応する指示子を、前記表示対象の位置に対応する座標に表示するステップ
を備え、
前記表示するステップが表示する指示子には、前記ステータスに対応する装飾が付加され、
前記ステータスに対応する装飾は、ステータスの値に対応する装飾と、前記ステータスの値の傾向に対応する装飾を含むことを特徴とする対策支援方法。
【請求項１４】
前記記憶するステップはさらに、
前記表示対象の種別と、前記表示対象の種別におけるステータスの値を区分する閾値と、前記ステータスの区分を特定する色を対応づけたステータス定義データを記憶し、
前記表示対象データの表示対象情報は、前記表示対象に対応するステータスの値として、実測された実測値が対応づけられた実測情報と、前記実測情報から予測された予測値を対応づけた予測情報を含み、
前記ステータスの値および傾向のうち、一方に対応する装飾は、前記実測情報については、前記表示対象の種別に対応する前記実測値の区分を特定する色を有するとともに、前記予測情報については、前記表示対象の最新の前記実測値の区分を特定する色を有し、もう一方に対応する装飾は、前記実測値または予測値の区分を特定する色を有する
ことを特徴とする請求項１３に記載の対策支援方法。
【請求項１５】
前記記憶するステップはさらに、
前記表示対象の種別と、前記表示対象の種別におけるステータスの値を区分する閾値と、前記ステータスの区分を特定する色を対応づけたステータス定義データを記憶し、
前記表示対象データの表示対象情報は、前記表示対象に対応するステータスの値として、実測された実測値が対応づけられた実測情報と、前記実測情報から予測された予測値を対応づけた予測情報を含み、
前記ステータスの値に対応する装飾は、前記実測情報については、前記表示対象の種別に対応する前記実測値の区分を特定する色を有し、前記予測情報については、前記表示対象の最新の前記実測値の区分を特定する色を有し、前記ステータスの傾向に対応する装飾は、前記実測値または予測値の区分を特定する色を有する
ことを特徴とする請求項１３に記載の対策支援方法。
【請求項１６】
前記傾向は、過去の実測値から、最小二乗法により算出された予測直線、多項式近似により算出された予測曲線、または直近の過去の実測値と新たに入力された実測値との差により算出される
ことを特徴とする請求項１３に記載の対策支援方法。
【請求項１７】
前記予測値は、過去の実測値から、最小二乗法により算出された予測直線、多項式近似により算出された予測曲線、または直近の過去の実績値と新たに入力された実測値を連結した予測直線により算出される
ことを特徴とする請求項１４または１５に記載の対策支援方法。
【請求項１８】
コンピュータを、請求項１ないし４および請求項７ないし１２のいずれか１項に記載の対策支援サーバとして機能させるための対策支援プログラム。
【手続補正２】
【補正対象書類名】明細書
【補正対象項目名】０１０４
【補正方法】変更
【補正の内容】
【０１０４】
ここで、予測手段２３は、最高または最低ステータスの閾値に対応づけられる予測情報において、その表示終了日時に、無制限の時間を設定される。具体的には、例えば表示対象データ１２の予測情報Ｐ１ｂに示すように、表示終了日時欄に、空白の値が設定される。
【手続補正３】
【補正対象書類名】明細書
【補正対象項目名】０１１１
【補正方法】変更
【補正の内容】
【０１１１】
図１２に示す例は、第１ないし第８の表示対象情報Ｄ１ないしＤ８が入力された場合を示す。第７の表示対象情報Ｄ７および第８の表示対象情報Ｄ８の各実測値は、第４区分（５００〜７００人）に対応する同一の値であるとする、この２情報に基づいて推測された場合、図１２に示すように、１２時４０分以降は、予測直線は水平になる。この場合、予測手段２３は、１２時４０分から所定時間後に、表示終了日時が無期限となり、傾向が「水平（有効期限切れ）」となる予測情報を生成し、表示対象データ１２に挿入する。この予測情報に基づいて、値を示す外枠は、直前の実測値に基づくステータスの色で表示され、傾向を示す矢印は、灰色などのステータスに対応しない色で表示される。